(57)【要約】【課題】受信信号の信号レベルが高くてもダイナミックレンジを確保でき、消費電力を抑えた受信装置を提供すること。【解決手段】アンテナ１１９で受信した信号を中間周波数ｆＩＦの中間周波信号に周波数変換する第１のミキサ１０３の後段に、中間周波信号を低中間周波数ｆｌｏｗ＃ＩＦの低中間周波信号に周波数変換する第２のミキサ１０７、低ＩＦアンプ１０８および可変減衰器１０９を含む第１の系１１７と、これら３つの構成要素を含まない第２の系１１８と、が並列して設けられ、受信信号レベルを測定するレベル検出部１１３と、レベル検出部１１３によって測定された受信信号レベルに応じて、中間周波信号が通る経路として第１の系１１７および第２の系１１８のいずれか一方を選択するベースバンド部１１６と、ベースバンド部１１６からの指示により系を切り替える切り替え部１０６，１１０と、を備えて構成されている。【選択図】　　図１
2004104583.tif 000002
【特許請求の範囲】
【請求項１】
受信信号レベルに応じて２つの系を切り替える受信装置であって、
受信信号を中間周波数の中間周波信号に周波数変換する第１の周波数変換手段の後段に、
前記中間周波信号を前記中間周波数よりも低い周波数の低中間周波信号に周波数変換する第２の周波数変換手段および前記低中間周波信号の信号レベルを調整する信号レベル調整手段を含む第１の系と、
前記第２の周波数変換手段および前記信号レベル調整手段を含まない第２の系と、が並列して設けられ、
受信信号レベルを測定する信号レベル測定手段と、
前記信号レベル測定手段によって測定された受信信号レベルに応じて、前記中間周波信号が通る経路として前記第１の系および前記第２の系のいずれか一方を選択する系選択手段と、備え、
前記系選択手段は、受信信号レベルが所定レベル以上であれば前記第２の系を選択することを特徴とする受信装置。
【請求項２】
前記第１の系を通過した前記低中間周波信号または前記第２の系を通過した前記中間周波信号を所定のクロック周波数でＡＤ変換するＡＤ変換手段と、
前記所定のクロック周波数のクロック信号を生成するクロック信号生成手段と、を備え、
前記中間周波数をｆＩＦとし、前記低中間周波数をｆｌｏｗ＃ＩＦとし、前記クロック周波数をｆｃｌｋとしたとき、
ｆｃｌｋ　＝２ｍｆＩＦ＝４ｍｎｆｌｏｗ＃ＩＦ
ｆＩＦ＝２ｎｆｌｏｗ＃ＩＦ
（但し、ｍ，ｎは正の整数）
の関係を有する周波数配置に設定することを特徴とする請求項１記載の受信装置。
【請求項３】
前記第１の系を通過した前記低中間周波信号または前記第２の系を通過した前記中間周波信号を所定のクロック周波数でＡＤ変換するＡＤ変換手段と、
前記所定のクロック周波数のクロック信号を生成するクロック信号生成手段と、を備え、
前記中間周波数をｆＩＦとし、前記低中間周波数をｆｌｏｗ＃ＩＦとし、前記クロック周波数をｆｃｌｋとしたとき、
ｆｃｌｋ＝２ｎｆｌｏｗ＃ＩＦ
ｆＩＦ＝（４ｎｍ±１）ｆｌｏｗ＃ＩＦ
（但し、ｍ，ｎは正の整数）
の関係を有する周波数配置に設定することを特徴とする請求項１記載の受信装置。
【発明の詳細な説明】
【０００１】
【発明の属する技術分野】
本発明は、移動体通信において携帯端末や移動端末からの音声やデータを無線受信する受信装置に関する。
【０００２】
【従来技術】
携帯端末や移動端末等から送信される音声やデータを無線受信する従来の受信装置として、例えばアダプティブアレーアンテナ方式を採用した図４に示す受信装置がある。同図に示す受信装置５００は、高周波信号を増幅するＲＦアンプ５０１と、高周波にて希望信号以外の不要波を抑圧するＲＦフィルタ５０２と、高周波信号を中間周波数ｆＩＦの信号に変換するミキサ５０３と、ミキサ５０３に供給するローカル周波数の信号を発生する発振器５１３と、希望信号以外の不要波を抑圧するＩＦフィルタ５０４と、中間周波数ｆＩＦに変換された受信信号レベルを増幅するＩＦアンプ５０５と、中間周波数ｆＩＦを低中間周波数ｆｌｏｗ＃ＩＦに変換するミキサ５０６と、ミキサ５０６に供給するローカル周波数の信号を発生する発振器５１４と、低中間周波数ｆｌｏｗ＃ＩＦに変換した受信信号を増幅する低ＩＦアンプ５０７と、受信信号に対して利得制御を行う可変減衰部５０８と、ＡＤ変換器５０９と、ＡＤ変換器５０９の出力信号から受信信号のレベルを測定するレベル検出部５１１と、デジタル出力の復調を行う復調器５１０と、ベースバンド帯域の音声信号またはデータ信号の帯域制限や多重化を行うベースバンド部５１２とを備えている。
【０００３】
なお、ベースバンド部５１２は、レベル検出部５１１で測定された受信信号のレベルに応じて、可変減衰部５０８が行う利得制御に関する指示を行っている。また、ベースバンド部５１２は、ＡＤ変換器５０９にクロック信号ｆｃｌｋを供給し、ＡＤ変換器５０９はこのクロック信号ｆｃｌｋに合わせて動作する。
【０００４】
当該受信装置５００では、アンテナ５１５が受信した高周波信号をＲＦアンプ５０１で増幅し、不要波をＲＦフィルタ１０２で抑圧した後、ミキサ５０３で中間周波数ｆＩＦに周波数変換する。また、中間周波数ｆＩＦの信号（中間周波信号）に含まれている不要波をＩＦフィルタ５０４で抑圧し、ＩＦアンプ５０５で増幅した後、ミキサ５０６で中間周波信号を中間周波数ｆＩＦから低中間周波数ｆｌｏｗ＃ＩＦに周波数変換し、低ＩＦアンプ５０７にて低中間周波数ｆｌｏｗ＃ＩＦの信号（低中間周波信号）を増幅する。また、当該増幅した低中間周波信号の信号レベルに応じて、可変減衰部５０８は利得調整を行い、ＡＤ変換器５０９でアナログからデジタルに変換する。さらに、変換されたデジタル信号を復調器５１０で復調して得られたベースバンド信号をベースバンド部５１２に送る。
【０００５】
この低ＩＦ受信方式の受信装置５００にあっては、可変減衰部５０８の出力変化（利得調整用のＩＣ内部の信号が通る経路の距離の変動）に対して受信信号の位相が受ける影響は小さいため、位相変動も小さい。このため、アダプティブアレーアンテナ方式の受信装置を実現することができる。
【０００６】
【発明が解決しようとする課題】
しかしながら、上記従来の受信装置５００にあっては、受信信号の信号レベルが高いときでも、当該受信信号はＩＦアンプ５０５によって増幅され、ミキサ５０６に入力されてしまう。このため、ミキサ５０６の出力信号に歪みが生じてしまい、ダイナミックレンジを確保できないという問題点があった。また、ＩＦアンプ５０５の出力信号レベルが大きいときも低ＩＦアンプ５０７は動作しているため信号が増幅されてしまい、可変減衰器５０８でレベルを小さく調整する必要がある。このため、ミキサ５０６や低ＩＦアンプ５０７で電力が無駄に消費されてしまうという問題点があった。
【０００７】
このような問題を解決するため、例えば中間周波数ｆＩＦ＝１３０ＭＨｚ、低中間周波数ｆｌｏｗ＃ＩＦ＝７０ＭＨｚとして、それぞれ４倍オーバーサンプリングでＡＤ変換を行う方法もある。しかしながら、この場合には、ｆｃｌｋ＝５２０ＭＨｚ，２８０ＭＨｚという２つの周波数のクロック信号がＡＤ変換器５０９に必要となるため、これら周波数のクロック信号を生成するために回路または装置が大きくなってしまうという問題があった。
【０００８】
また、例えば中間周波数ｆＩＦ＝１００ＭＨｚの信号を４倍オーバーサンプリングでＡＤ変換しようとすると、必要なクロック信号の周波数はｆｃｌｋ＝４００ＭＨｚとなるため、中間周波数ｆＩＦが高くなればなるほど高い周波数のクロック信号が必要になるという問題があった。さらに、クロック信号の周波数ｆｃｌｋが高くなるとデジタル回路の動作周波数が高くなるため、消費電力が増加するという問題があった。
【０００９】
したがって、このような問題がなく、しかも受信信号の信号レベルが高くてもダイナミックレンジを確保でき、かつ消費電力を抑えることのできる受信装置の実現が望まれていた。
【００１０】
本発明は、上記従来の問題点に鑑みてなされたものであって、受信信号の信号レベルが高くてもダイナミックレンジを確保でき、消費電力を抑えた受信装置を提供することを目的としている。
【００１１】
【課題を解決するための手段】
上記目的を達成するために、本発明に係る受信装置は、受信信号レベルに応じて２つの系を切り替える受信装置であって、受信信号を中間周波数の中間周波信号に周波数変換する第１の周波数変換手段の後段に、前記中間周波信号を前記中間周波数よりも低い周波数の低中間周波信号に周波数変換する第２の周波数変換手段および前記低中間周波信号の信号レベルを調整する信号レベル調整手段を含む第１の系と、前記第２の周波数変換手段および前記信号レベル調整手段を含まない第２の系と、が並列して設けられ、受信信号レベルを測定する信号レベル測定手段と、前記信号レベル測定手段によって測定された受信信号レベルに応じて、前記中間周波信号が通る経路として前記第１の系および前記第２の系のいずれか一方を選択する系選択手段と、備え、前記系選択手段は、受信信号レベルが所定レベル以上であれば前記第２の系を選択する。
【００１２】
このように、受信信号レベルに応じて中間周波信号の通る経路が異なり、受信信号レベルが所定レベル以上であれば第２の系を通る。第２の系では周波数変換や信号レベルの調整を行わないため歪みが生じない。したがって、ダイナミックレンジを広く確保することができる。また、第１の系を通過する場合と比較して、第２の周波数変換手段および信号レベル調整手段が動作しないため省電力化を実現できる。
【００１３】
また、本発明に係る受信装置は、前記第１の系を通過した前記低中間周波信号または前記第２の系を通過した前記中間周波信号を所定のクロック周波数でＡＤ変換するＡＤ変換手段と、前記所定のクロック周波数のクロック信号を生成するクロック信号生成手段と、を備え、前記中間周波数をｆＩＦとし、前記低中間周波数をｆｌｏｗ＃ＩＦとし、前記クロック周波数をｆｃｌｋとしたとき、
ｆｃｌｋ　＝２ｍｆＩＦ＝４ｍｎｆｌｏｗ＃ＩＦ
ｆＩＦ＝２ｎｆｌｏｗ＃ＩＦ
（但し、ｍ，ｎは正の整数）
の関係を有する周波数配置に設定する。
【００１４】
したがって、ＡＤ変換手段は共通のクロック周波数で動作することができるため、クロック信号生成手段を小型化できる。結果として、受信装置を小型化できる。
【００１５】
さらに、本発明に係る受信装置は、前記第１の系を通過した前記低中間周波信号または前記第２の系を通過した前記中間周波信号を所定のクロック周波数でＡＤ変換するＡＤ変換手段と、前記所定のクロック周波数のクロック信号を生成するクロック信号生成手段と、を備え、前記中間周波数をｆＩＦとし、前記低中間周波数をｆｌｏｗ＃ＩＦとし、前記クロック周波数をｆｃｌｋとしたとき、
ｆｃｌｋ＝２ｎｆｌｏｗ＃ＩＦ
ｆＩＦ＝（４ｎｍ±１）ｆｌｏｗ＃ＩＦ
（但し、ｍ，ｎは正の整数）
の関係を有する周波数配置に設定する。
【００１６】
したがって、中間周波信号に対してアンダーサンプリングで、中間周波数よりも低い周波数のクロック周波数に合わせてＡＤ変換を行うことができるため、クロックの低周波化と省力化を実現できる。
【００１７】
【発明の実施の形態】
以下、本発明に係る受信装置の実施の形態について、図面を参照して詳細に説明する。
図１は、本発明の一実施形態に係る受信装置を示すブロック図である。同図に示すように、本実施形態の受信装置１００は、ＲＦアンプ１０１と、ＲＦフィルタ１０２と、特許請求の範囲の第１の周波数変換手段に該当する第１のミキサ１０３と、ＩＦフィルタ１０４と、ＩＦアンプ１０５と、切り替え部１０６，１１０と、第２の周波数変換手段に該当する第２のミキサ１０７と、信号レベル調整手段に該当する低ＩＦアンプ１０８および可変減衰部１０９と、ＡＤ変換手段に該当するＡＤ変換器１１１と、復調器１１２と、信号レベル測定手段に該当するレベル検出部１１３と、発振器１１４，１１５と、ベースバンド部１１６とを備えて構成されている。なお、特許請求の範囲の系選択手段は切り替え部１０６，１１０およびベースバンド部１１６に該当し、クロック信号生成手段はベースバンド部１１６に該当する。
【００１８】
２つの切り替え部１０６，１１０の間に設けられた第２のミキサ１０７、低ＩＦアンプ１０８および可変減衰部１０９は、中間周波数ｆＩＦを低中間周波数ｆｌｏｗ＃ＩＦに変換し、さらにその信号レベルを増幅および調整する第１の系１１７を形成している。一方、受信装置１００には、第１の系１１７と平行して、中間周波数ｆＩＦの周波数と信号レベルを変化させずに通過させる第２の系１１８も形成されている。すなわち、本実施形態の受信装置１００では、切り替え部１０６，１１０による切り替えによって第１の系１１７または第２の系１１８のいずれかが選択される。
【００１９】
以下、本実施形態の受信装置１００が有する各構成要素について説明する。
ＲＦアンプ１０１は、アンテナ１１９（例えばアダプティブアレイアンテナ）が受信した高周波信号を増幅するものである。また、ＲＦフィルタ１０２は、増幅された高周波信号の希望波以外の不要波を抑圧するものである。また、第１のミキサ１０３は、高周波信号を中間周波数ｆＩＦの中間周波信号に周波数変換するものである。また、ＩＦフィルタ１０４は、中間周波信号に含まれている希望波以外の不要波を抑圧するものである。また、ＩＦアンプ１０５は、中間周波信号を増幅するアンプである。
【００２０】
また、第２のミキサ１０７は、中間周波信号を低中間周波数ｆｌｏｗ＃ＩＦの低中間周波信号に周波数変換するものである。また、低ＩＦアンプ１０８は、低中間周波信号を増幅するアンプである。また、可変減衰部１０９は、低ＩＦアンプ１０８によって増幅された低中間周波信号の信号レベルを一定の幅に調整するものである。上述したように、本実施形態の受信装置１００は、第２のミキサ１０７、低ＩＦアンプ１０８および可変減衰部１０９は第１の系１１７と、これら３つの構成要素を経路中に含まない第２の系１１８とを形成している。
【００２１】
また、切り替え部１０６，１１０は、第１の系１１７および第２の系１１８のいずれか一方に経路を切り替えるためのものである。切り替え部１０６，１１０によって第１の系１１７が選択された場合、ミキサ１０４で周波数変換された中間周波信号（ｆＩＦ）は低中間周波信号（ｆｌｏｗ＃ＩＦ）に周波数変換された後、増幅およびレベル調整されるが、第２の系１１８が選択された場合、前記中間周波信号はそのまま後段の構成要素に入力される。
【００２２】
また、ＡＤ変換器１１１は、第１の系１１７を通過した低中間周波信号または第２の系１１８を通過した中間周波信号を、後述するベースバンド部１１６から供給されたクロック信号ｆｃｌｋのクロック周波数に合わせてＡＤ変換するものである。また、復調器１１２は、ＡＤ変換された信号を復調するものである。また、レベル検出部１１３は、ＡＤ変換器１１１の出力信号から受信信号のレベルを測定するものであり、その測定結果はベースバンド部１１６に送られる。また、発振器１１４は第１のミキサ１０３に供給するローカル周波数の信号を発生するものであり、発振器１１５は第２のミキサ１０７に供給するローカル周波数の信号（ＬＯ）を発生するものである。
【００２３】
また、ベースバンド部１１６は、復調器１１２が復調して得られたベースバンド信号を処理し、音声やデータとして後段のマイクやディスプレイ（図示せず）から出力するものである。この他に、ベースバンド部１１６は、レベル検出部１１３で測定された受信信号のレベルに応じて、切り替え部１０６，１１０が行う切り替え動作の制御、および可変減衰部１１７が行う利得制御に関する指示を行う。さらに、ベースバンド部１１６は、ＡＤ変換器１１１にクロック信号ｆｃｌｋを供給する。
【００２４】
なお、ＲＦアンプ１０１、ＩＦアンプ１０５および低ＩＦアンプ１０８は、例えばＦＥＴやトランジスタで実現できる。また、ＲＦフィルタ１０２は、誘電体フィルタやチップコイル、チップコンデンサによるフィルタで実現できる。また、第１のミキサ１０３および第２のミキサ１０７は、トランジスタやダイオード等によって実現できる。また、ＩＦフィルタ１０４は、例えば弾性表面波素子（ＳＡＷ）フィルタやコイル、コンデンサ、抵抗によるフィルタ等で実現できる。また、切り替え部１０６，１１０は、トランジスタやＦＥＴ、ダイオードによるＳＰＤＴスイッチ等のスイッチによって実現できる。また、可変減衰部１０９は、デジタルアッテネータやスイッチと固定アッテネータとの組み合わせで実現できる。また、レベル検出部１１３および復調器１１２は、論理回路によって実現できる。また、発振器１１４，１１５は、ＰＬＬ周波数シンセサイザー回路と電圧制御発振器（ＶＣＯ）によって実現できる。
【００２５】
次に、本実施形態の受信装置１００の動作について説明する。なお、以下の説明において、本実施形態の受信装置１００は、例えば受信信号のレベルが−７０ｄＢｍ以上であれば第２の系１１８が選択され、−７０ｄＢｍ以下であれば第１の系１１７が選択される。
【００２６】
まず、アンテナ１１９で受信された信号のレベルをレベル検出部１１３が測定する。次に、ベースバンド部１１６は、この測定された信号レベルが−７０ｄＢｍ以上であれば第２の系１１８を選択し、−７０ｄＢｍ以下であれば第１の系１１７を選択するよう、切り替え部１０６，１１０を制御する。第２の系１１８が選択されたとき、ＩＦアンプ１０５から出力された中間周波信号には歪は生じないため、受信信号の信号レベルが大きくてもダイナミックレンジを確保することができる。また、第１の系１１７が選択されたときの当該系における消費電力が０．５Ｗである場合、第１の系１１７を構成する各構成要素は動作しないため、消費電力を０．５Ｗ減らすことができる。すなわち、第２の系１１８が選択されたときは消費電力を抑えることができる。
【００２７】
以上説明したように、本実施形態の受信装置１００にあっては、受信信号の信号レベルが所定レベル以上の場合と以下の場合とで周波数がｆＩＦの中間周波信号が通る経路が異なり、中間周波信号は、受信信号の信号レベルが所定レベル以上であれば第２の系１１８を通る。当該第２の系１１８では周波数変換や信号レベルの調整を行わないため歪みが生じない。したがって、ダイナミックレンジを広く確保することができる。また、第１の系１１７を通過する場合と比較して、第２のミキサ１０７、低ＩＦアンプ１０８および可変減衰部１０９が動作しないため、省電力化を実現できる。
【００２８】
なお、本実施形態では、レベル検出部１１３が、ＡＤ変換器１１１の出力信号に基づいて信号レベルを測定しているが、受信信号が流れるいずれの回路部位、例えばＩＦアンプ１０５の出力側の信号に基づいて行っても良い。
【００２９】
図２は、本実施形態の受信装置１００における周波数配置例を示す説明図である。当該周波数配置例における図１に示した受信装置１００では、第１のミキサ１０３で周波数変換された中間周波数信号の周波数を“ｆＩＦ”、第２の系１１７中の第２のミキサ１０７で周波数変換された低中間周波数信号の周波数を“ｆｌｏｗ＃ＩＦ”、ＡＤ変換器１１１がこれに基づいて動作するクロック周波数を“ｆｃｌｋ　”としたとき、以下に示す周波数配置の関係が成り立つよう、発振器１１４，１１５のローカル信号の周波数を設定する。
【００３０】
ｆｃｌｋ　＝２ｍｆＩＦ＝４ｍｎｆｌｏｗ＃ＩＦ
ｆＩＦ＝２ｎｆｌｏｗ＃ＩＦ
（但し、ｍ，ｎは正の整数）
【００３１】
上記周波数配置の関係において、例えば受信信号が２ＧＨｚであり、当該関係を満たすようｆｌｏｗ＃ＩＦ＝５０ＭＨｚ，ｆＩＦ＝１００ＭＨｚ（ｎ＝１，ｍ＝２）とした場合、第１のミキサ１０３に入力する発振器１１４のローカル周波数を１．９ＧＨｚ、第２のミキサ１０７に入力するローカル周波数を５０ＭＨｚとする。このため、ベースバンド部１１６からＡＤ変換器１１１に供給するクロック周波数ｆｃｌｋ＝４００ＭＨｚとすることで、ｆｌｏｗ＃ＩＦ＝５０ＭＨｚに対して８倍オーバーサンプリングでＡＤ変換が可能となり、ｆＩＦ＝１００ＭＨｚに対して４倍オーバーサンプリングでＡＤ変換が可能となる。
【００３２】
したがって、クロック周波数ｆｃｌｋ＝４００ＭＨｚのみで低中間周波信号（ｆｌｏｗ＃ＩＦ）と中間周波信号（ｆＩＦ）をＡＤ変換できるため、ベースバンド部１１６にてクロックを生成する回路は１つで十分となり、回路を小型化できる。
【００３３】
図３は、本実施形態の受信装置１００における他の周波数配置例を示す説明図である。当該周波数配置例における図１に示した受信装置１００では、以下に示す周波数配置の関係が成り立つよう、発振器１１４，１１５のローカル信号の周波数を設定する。なお、図３は（４ｎｍ＋１）かつｎ＝２，ｍ＝１の場合である。
【００３４】
ｆｃｌｋ＝２ｎｆｌｏｗ＃ＩＦ
ｆＩＦ＝（４ｎｍ±１）ｆｌｏｗ＃ＩＦ
（但し、ｍ，ｎは正の整数）
【００３５】
上記周波数配置の関係において、特にｆＩＦ＝（４ｎｍ＋１）ｆｌｏｗ＃ＩＦの場合に、例えば受信信号が２ＧＨｚであり、当該関係を満たすようｆｌｏｗ＃ＩＦ＝５ＭＨｚ，ｆＩＦ＝４５ＭＨｚ（ｎ＝２，ｍ＝１）とした場合、第１のミキサ１０３に入力する発振器１１４のローカル周波数を１９５５ＭＨｚ、第２のミキサ１０７に入力するローカル周波数を４０ＭＨｚとする。このため、ベースバンド部１１６からＡＤ変換器１１１に供給するクロック周波数ｆｃｌｋ＝２０ＭＨｚとすることで、ｆｌｏｗ＃ＩＦ＝５ＭＨｚに対して４倍オーバーサンプリングでＡＤ変換が可能となり、ｆＩＦ＝４５ＭＨｚに対してはアンダーサンプリングでＡＤ変換が可能となる。
【００３６】
ここで、ｆＩＦ＝４５ＭＨｚに対して２倍オーバーサンプリングするためにはクロック周波数ｆｃｌｋ＝９０ＭＨｚとしなければならないが、上記説明したようにクロック周波数ｆｃｌｋ＝２０ＭＨｚで良いため、クロック周波数を低くすることができる。このため、動作周波数を下げることができ、受信装置１００の省電力化を図ることができる。なお、上記周波数配置の関係でｆＩＦ＝（４ｎｍ−１）ｆｌｏｗ＃ＩＦの場合は、直交復調した後のＩ信号（同相成分）とＱ信号（直交成分）とを入れ替えることにより、同等の効果を得ることができる。
【００３７】
【発明の効果】
以上説明したように、本発明に係る受信装置によれば、受信信号レベルに応じて中間周波信号の通る経路が異なり、受信信号レベルが所定レベル以上であれば第２の系を通る。第２の系では周波数変換や信号レベルの調整を行わないため歪みが生じない。したがって、ダイナミックレンジを広く確保することができる。また、第１の系を通過する場合と比較して、第２の周波数変換手段および信号レベル調整手段が動作しないため省電力化を実現できる。
【図面の簡単な説明】
【図１】本発明の一実施形態に係る受信装置を示すブロック図
【図２】一実施形態の受信装置における周波数配置例を示す説明図
【図３】一実施形態の受信装置における他の周波数配置例を示す説明図
【図４】従来の受信装置を示すブロック図
【符号の説明】
１０１　ＲＦアンプ
１０２　ＲＦフィルタ
１０３　第１のミキサ
１０４　ＩＦフィルタ
１０５　ＩＦアンプ
１０６，１１０　切り替え部
１０７　第２のミキサ
１０８　低ＩＦアンプ
１０９　可変減衰部
１１１　ＡＤ変換器
１１２　復調器
１１３　レベル検出部
１１４，１１５　発振器
１１６　ベースバンド部
【図１】
2004104583.tif 000003
【図２】
2004104583.tif 000004
【図３】
2004104583.tif 000005
【図４】
2004104583.tif 000006